(57)【特許請求の範囲】
【請求項１】
第１ヘッドボードを有する第１ベッドと、
第２ヘッドボードを有する第２ベッドと、
前記第１ヘッドボードと前記第２ヘッドボードを連結する共通ヘッドボードとを備え、
前記共通ヘッドボードの長さを、前記第１ヘッドボードと前記第２ヘッドボートをつなげた長さとし、
前記第１ベッドと前記第２ベッドを並べて連結する場合に前記第１ヘッドボートおよび前記第２ヘッドボードの上に着脱自在な取り付けが行える共通ヘッドボードを備えたペアベッド装置。
【請求項２】
前記第１ベッドと前記第２ベッドを連結時には、前記第１ベッドと前記第２ベッドのサイドがアジャスタ付の連結テープにより連結される請求項１に記載のペアベッド装置。
【請求項３】
前記共通ヘッドボードには、前記第１ベッドと前記第２ベッドの巾方向の寸法が異なる場合でも、前記第１ヘッドボートおよび前記第２ヘッドボードの取り付けが行える連結穴が並設して設けられている請求項１または請求項２に記載のペアベッド装置。
【請求項４】
前記第１ベッドと前記第２ベッドを連結状態から分離する場合、前記共通ヘッドボードに代えて、前記第１ヘッドボードおよび前記第２ヘッドボードそれぞれの上に化粧ボードが取り付けられる請求項１に記載のペアベッド装置。
【発明の詳細な説明】
【技術分野】
【０００１】
本発明は、２台のベッドが組み合わされて成るペアベッド装置に関する。
【背景技術】
【０００２】
公知のペアベッド装置が後述の特許文献１及び２に記載されている。これら文献に記載のペアベッド装置は、第１ベッドと、第２ベッドと、第１ベッドと第２ベッドとを連結するヘッドボードと、を備えている。
【特許文献１】米国特許第２５２３９８７号
【特許文献２】米国特許第３００８１７６号
【発明の開示】
【発明が解決しようとする課題】
【０００３】
上述のペアベッド装置においては、第１ベッド及び第２ベッドには個々にヘッドボードが設けられていないので、第１ベッドと第２ベッドとを分離して個々に使おうとすると、ユーザにとっては使い勝手が悪いものであった。
【０００４】
よって、本発明は上記の問題点に鑑みてなされたものであり、ユーザにとって使い勝手がいいペアベッド装置を提供することを課題とする。
【課題を解決するための手段】
【０００５】
上記課題を解決するために、本発明にて講じた技術的手段は、第１ヘッドボードを有する第１ベッドと、第２ヘッドボードを有する第２ベッドと、前記第１ヘッドボードと前記第２ヘッドボードを連結する共通ヘッドボードとを備え、
前記共通ヘッドボードの長さを、前記第１ヘッドボードと前記第２ヘッドボートをつなげた長さとし、前記第１ベッドと前記第２ベッドを並べて連結する場合に前記第１ヘッドボートおよび前記第２ヘッドボードの上に着脱自在な取り付けが行える共通ヘッドボードを備えた構成としたことである。
【０００６】
この場合、前記第１ベッドと前記第２ベッドを連結時には、前記第１ベッドと前記第２ベッドのサイドがアジャスタ付の連結テープにより連結される構成とすると良い。
また、前記共通ヘッドボードには、前記第１ベッドと前記第２ベッドの巾方向の寸法が異なる場合でも、前記第１ヘッドボートおよび前記第２ヘッドボードの取り付けが行える連結穴が並設して設けられている構成とすると良い。
また、前記第１ベッドと前記第２ベッドを連結状態から分離する場合、前記共通ヘッドボードに代えて、前記第１ヘッドボードおよび前記第２ヘッドボードそれぞれの上に化粧ボードが取り付けられる構成とすると良い。
【発明の効果】
【０００７】
本発明によれば、第１ベッドが共通ヘッドボードを介して第２ベッドと連結している場合、ユーザは、第１ヘッドボード、第２ヘッドボード及び共通ヘッドボードを使うことができる。第１ベッドが第２ベッドから分離している場合、ユーザは、別に設けた別体のヘッドボード（化粧ボード）を取り付けることで、第１ヘッドボード（第２ヘッドボード）を使うことができる。つまり、ユーザによって使用されるベッドには、ヘッドボードが常に設けられる。これにより、本発明に係るペアベッド装置は、ユーザにとって使い勝手がいいものとなっている。
【発明を実施するための最良の形態】
【０００８】
以下、本発明を実施するための最良の形態を、図面を基に説明する。
【０００９】
図１は、本発明に係るペアベッド装置１の斜視図である。ペアベッド装置１は、ベッド２と、ベッド３と、化粧ボード４と、を備えている。ベッド２は、幅方向に関して、ベッド３と並んで配置されている。ベッド２には、ヘッドボード２１が設けられ、ベッド３には、ヘッドボード３１が設けられている。ヘッドボード２１とヘッドボード３１は、化粧ボード４を介して連結されている。化粧ボード４は、幅方向に延在する板材である。化粧ボード４としては、図７に示す様に、様々な意匠のものが適用可能である。
【００１０】
図２は、化粧ボード４が取り外されたペアベッド装置１の斜視図である。ヘッドボード２１には、一対の連結部材５が取り付けられ、ヘッドボード３１には、一対の連結部材６が取り付けられている。一方の連結部材５（連結部材６）は、他方の連結部材５（連結部材６）に対し、幅方向に間隔を隔てて設けられている。化粧ボード４は、連結部材５及び連結部材６と連結する。これにより、ヘッドボード２１（ベッド２）とヘッドボード３１（ベッド３）とが、化粧ボード４を介して互いに連結される。
【００１１】
図３は、連結部材５がヘッドボード２１及び化粧ボード４に連結する態様を示す。連結部材５の下部は、ボルト７を介して、ヘッドボード２１に固定される。ボルト７は、連結部材５の下部を貫通する。連結部材５の下部を貫通したボルト７は、ヘッドボード２１に形成された連結穴２２に螺合される。連結部材５の上部は、ボルト８を介して、化粧ボード４に固定される。ボルト８は、連結部材５の上部を貫通する。連結部材５の上部を貫通したボルト８は、化粧ボード４に形成された連結穴４１に螺合される。連結部材６も、連結部材５と同様の態様により、ヘッドボード３１及び化粧ボード４に固定される。これにより、ベッド２とベッド３とが、化粧ボード４を介して互いに連結される。
【００１２】
ヘッドボード２１と連結部材５の組み付け、ならびにヘッドボード３１と連結部材６の組み付けは、ノックダウン構造となっている。図８に示す様に、位置決めダボ１３を使用することで、客先組み付けにおいて、ヘッドボード２１に対する連結部材５の位置出し、ならびにヘッドボード３１に対する連結部材６の位置出しが容易に可能となる。
【００１３】
なお、図１に示す２台連結用の化粧ボード４に加えて、図９に示す様に、１台用の化粧ボード１４、１５を設定することで、２台並べて設置・分離させて設置の両方の使用が可能となる。化粧ボード１４、１５は、化粧ボード４と同様な態様により、ヘッドボード２１、３１にそれぞれ連結する。
【００１４】
図４に示す様に、化粧ボード４において、幅方向に関して連結穴４１と位置が異なる連結穴４１’を設けることで、幅方向の寸法がベッド２とベッド３とで異なる場合でも、化粧ボード４を共有できる。さらに、ベッド２とベッド３とで幅方向の位置を入れ替えることもできる。
【００１５】
図５に示す様に、ベッド２とベッド３とを連結するフットボード９を設けることもできる。これにより、躯体強度確保ならびに意匠性向上を図ることができる。さらに、図６に示す様に、様々な機能商品（例えば、間接照明１１、液晶テレビ１２）を搭載できる後付け部材１０をフットボード９に追加することで、ユーザの使い勝手が向上する。
【００１６】
図１０乃至図１２に示す様に、ベッド２のサイドレール２３とベッド３のサイドレール３３とを連結する連結テープ１６を設けることもできる。連結テープ１６は、端部にアジャスタ１７が設けられた公知のものである。連結テープ１６を用いてサイドレール２３とサイドレール３３とを連結する場合、アジャスタ１７をボトムボード受け１８より下に位置させる。２台設置したベッド２、３の動き防止を目的に、サイドレール２３とサイドレール３３とを連結テープ１６で連結することで、２台のベッド２、３を１つの躯体として簡易的に構成することが出来る。
【００１７】
以上説明した様に、本発明に係るペアベッド装置１によれば、ベッド２が化粧ボード４を介してベッド３と連結している場合、ユーザは、ヘッドボード２１、ヘッドボード３１及び化粧ボード４を使うことができる。ベッド２がベッド３から分離している場合、ユーザは、別に設けた化粧ボード１４，１５を取り付けることで、ヘッドボード２１（ヘッドボード３１）を使うことができる。つまり、ユーザによって使用されるベッド２（ベッド３、ペアベッド装置１）には、ヘッドボード２１（ヘッドボード３１、化粧ボード４）が常に設けられる。これにより、本発明に係るペアベッド装置１は、ユーザにとって使い勝手がいいものとなっている。
【図面の簡単な説明】
【００１８】
【図１】本発明に係るペアベッド装置１の斜視図。
【図２】化粧ボード４が取り外されたペアベッド装置１の斜視図。
【図３】連結部材５がヘッドボード２１及び化粧ボード４に連結する態様を示す図。
【図４】化粧ボード４に形成された連結穴４１、４１’を示す図。
【図５】フットボード９を示す図。
【図６】後付け部材１０を示す図。
【図７】化粧ボード４を示す図。
【図８】位置決めダボ１３を示す図。
【図９】１台用の化粧ボード１４、１５を示す図。
【図１０】サイドレール２３、３３を示す図。
【図１１】連結テープ１６を示す図。
【図１２】連結テープ１６を示す図。
【符号の説明】
【００１９】
１  ペアベッド装置
２  ベッド（第１ベッド）
３  ベッド（第２ベッド）
４  化粧ボード（共通ヘッドボード）
１６  連結テープ
２１  ヘッドボード（第１ヘッドボード）
２３  サイドレール
３１  ヘッドボード（第２ヘッドボード）
３３  サイドレール
【図１】
0004835166.tif 000002
【図２】
0004835166.tif 000003
【図３】
0004835166.tif 000004
【図４】
0004835166.tif 000005
【図５】
0004835166.tif 000006
【図６】
0004835166.tif 000007
【図７】
0004835166.tif 000008
【図８】
0004835166.tif 000009
【図９】
0004835166.tif 000010
【図１０】
0004835166.tif 000011
【図１１】
0004835166.tif 000012
【図１２】
0004835166.tif 000013